(57)【特許請求の範囲】
【請求項１】
防災機器の時刻情報を、時計同期装置により遠隔的に同期させる時計同期システムに於いて、
前記時計同期装置は、
基準時刻情報を生成する基準時計部と、
操作部による時計同期操作の受付けを検出した場合に前記基準時計部で生成した基準時刻情報を含む電文を送信する時計同期制御部と、
を備え、
前記防災機器は、
前記時計同期装置の受信電波から電源を生成して動作し、前記受信電波から復調した電文に含まれる基準時刻情報を記憶する無線タグと、
前記無線タグに有線インタフェースを介して接続し、前記無線タグから前記基準時刻情報を読み出して自己の時刻情報を修正する機器制御部と、
を備え、
前記無線タグは、前記時計同期装置から受信した基準時刻情報を記憶した場合に時計同期フラグを設定し、
前記機器制御部は、前記無線タグにアクセスして前記時計同期フラグを検出した場合に、前記無線タグに記憶している基準時刻情報を読み出して自己の時刻情報を修正することを特徴とする時計同期システム。
【請求項２】
請求項１記載の時計同期システムに於いて、
前記時計同期装置の基準時計部は、標準電波の送信局から送信される時刻情報を受信して前記基準時刻情報を生成する電波時計部としたことを特徴とする時計同期システム。
【請求項３】
請求項１又は２記載の時計同期システムに於いて、
前記時計同期装置の時計同期制御部は、前記操作部による時刻確認操作の受付けを検出した場合に前記防災機器に時刻情報の読出要求を含む電文を送信し、時刻情報の読出応答電文を受信して表示部に前記防災機器の時刻情報を表示させ、
前記防災機器は、前記時計同期装置から前記時刻情報の読出要求を含む電文を受信した場合、自己の時刻情報を含む読出応答電文を生成して送信することを特徴とする時計同期システム。
【請求項４】
時刻情報を利用して所定の処理を行う防災機器に於いて、
外部の時計同期装置の受信電波から電源を生成して動作し、前記受信電波から復調した電文に含まれる基準時刻情報を記憶する無線タグと、
前記無線タグに有線インタフェースを介して接続し、前記無線タグから前記基準時刻情報を読み出して自己の時刻情報を修正する機器制御部と、
を備え、
前記無線タグは、前記時計同期装置から受信した基準時刻情報を記憶した場合に時計同期フラグを設定し、
前記機器制御部は、前記無線タグにアクセスして前記時計同期フラグを検出した場合に、前記無線タグに記憶している基準時刻情報を読み出して自己の時刻情報を修正することを特徴とする防災機器。
【請求項５】
請求項４記載の防災機器に於いて、
前記無線タグは、前記時計同期装置から前記時刻情報の読出要求を含む電文を受信した場合に、自己の時刻情報を含む読出応答電文を生成して送信することを特徴とする防災機器。
【発明の詳細な説明】
【技術分野】
【０００１】
本発明は、火災感知器等の防災機器で使用している時刻情報を、外部の時計同期装置の操作により遠隔的に同期させる時計同期システム及び防災機器に関する。
【背景技術】
【０００２】
従来、受信機から引き出された感知器回線に接続した火災感知器にあっては、火災による煙濃度又は温度を検出し、一定の感度となる閾値を超えた場合に火災と判断して火災発報信号を受信機に送信して火災警報を出力させるようにしている。
【０００３】
また、住宅における火災を検出して警報する住宅用火災警報器として知られた住警器にあっても、火災による煙濃度又は温度を検出し、一定の感度となる閾値を超えた場合に火災と判断して火災警報を出力するようにしている。
【０００４】
ところで、火災感知器や住警器が設置される警戒区域の環境条件は時間帯、曜日あるいは季節によって変化し、一定の感度を設定していた場合には、火災検出に時間遅れを生じたり、非火災報や失報を生じる場合がある。
【０００５】
そこで火災感知器や住警器に時計機能を設け、火災判断の閾値を例えば夜と昼の時間帯に分けて変更し、火災の早期発見と非火災報の防止を両立可能としている。
【先行技術文献】
【特許文献】
【０００６】
【特許文献１】特開平０５−０７３７８１号公報
【特許文献２】特開２００８−０８３９２３号公報
【発明の概要】
【発明が解決しようとする課題】
【０００７】
しかしながら、このような時計機能を設けた従来の火災感知器や住警器にあっては、高精度の時計機能を設けることはコスト的に無理があることから、日常生活で使用している一般的な時計程度の精度をもつ時計機能を設けることになるが、使用期間が長くなるほど時間ずれが大きくなり、時間帯による感度変更等を適切にできなくなる問題がある。
【０００８】
この問題を解決するためには、火災感知器や住警器に時刻修正のための操作部を設ければよいが、時刻修正のためには時刻表示部も必要となり、時刻修正のための構成が複雑化してコストアップとなる。また、火災感知器にあっては、設置している天井面から取り外して時刻修正する必要があり、時刻修正に手間と時間がかかる問題がある。
【０００９】
本発明は、火災感知器等の防災機器で使用している時刻情報を、遠隔操作により簡単且つ容易に修正可能として時刻情報に基づく正確な制御処理を可能とする時間同期システム及び防災機器を提供することを目的とする。
【課題を解決するための手段】
【００１１】
（無線タグ利用による時計同期システム）
本発明は、防災機器の時刻情報を、時計同期装置により遠隔的に同期させる時計同期システムに於いて、
時計同期装置は、
基準時刻情報を生成する基準時計部と、
操作部による時計同期操作の受付けを検出した場合に基準時計部で生成した基準時刻情報を含む電文を送信する時計同期制御部と、
を備え、
防災機器は、
時計同期装置の受信電波から電源を生成して動作し、受信電波から復調した電文に含まれる基準時刻情報を記憶する無線タグと、
無線タグに有線インタフェースを介して接続し、無線タグから基準時刻情報を読み出して自己の時刻情報を修正する機器制御部と、
を備え、
無線タグは、時計同期装置から受信した基準時刻情報を記憶した場合に時計同期フラグを設定し、
機器制御部は、無線タグにアクセスして時計同期フラグを検出した場合に、無線タグに記憶している基準時刻情報を読み出して自己の時刻情報を修正することを特徴とする。
【００１４】
（電波時計機能）
時計同期装置の基準時計部は、標準電波の送信局から送信される時刻情報を受信して基準時刻情報を生成する。
【００１５】
（時計同期装置による防災機器時刻情報の確認）
時計同期装置の時計同期制御部は、操作部による時刻確認操作の受付けを検出した場合に、防災機器の無線タグに時刻情報の読出要求を含む電文を送信し、無線タグから時刻情報の読出応答電文を受信して表示部に防災機器の時刻情報を表示させ、
防災機器の無線タグは、時計同期装置から時刻情報の読出要求を含む電文を受信した場合に、自己の時刻情報を含む読出応答電文を生成して送信する。
【００１６】
（防災機器）
本発明は、時刻情報を利用して所定の処理を行う防災機器に於いて、
外部の時計同期装置の受信電波から電源を生成して動作し、受信電波から復調した電文に含まれる基準時刻情報を記憶する無線タグと、
無線タグに有線インタフェースを介して接続し、無線タグから基準時刻情報を読み出して自己の時刻情報を修正する機器制御部と、
を備え、
無線タグは、時計同期装置から受信した基準時刻情報を記憶した場合に時計同期フラグを設定し、
機器制御部は、無線タグにアクセスして時計同期フラグを検出した場合に、無線タグに記憶している基準時刻情報を読み出して自己の時刻情報を修正することを特徴とする。
【００１７】
（時計同期装置による防災機器時刻情報の確認）
無線タグは、時計同期装置から時刻情報の読出要求を含む電文を受信した場合に、自己の時刻情報を含む読出応答電文を生成して送信する。
【発明の効果】
【００１８】
（基本的な効果）
本発明は、防災機器の時刻情報を、時計同期装置により遠隔的に同期させる時計同期システムに於いて、防災機器は、時計同期装置からの基準時刻情報を受信する受信部と、受信部により受信した基準時刻情報により自己の時刻情報を修正する機器制御部とを備えるようにしたため、防災機器、例えば火災感知器の定期点検等の際に、時計同期装置で時計同期のための操作することで、火災感知器の時刻情報を正しい時刻情報に修正する時刻同期を簡単且つ容易に行うことができ、例えば昼と夜の時間帯で感度を変更して行う火災判断を長期間に亘って安定且つ確実に動作可能とする。
【００１９】
（無線タグ利用による時計同期システムの効果）
また、時計同期装置は、基準時刻情報を生成する基準時計部と、操作部による時計同期操作の受付けを検出した場合に前記基準時計部で生成した基準時刻情報を含む電文を送信する時計同期制御部とを備え、防災機器は、時計同期装置の受信電波から電源を生成して動作し、受信電波から復調した電文に含まれる基準時刻情報を記憶する無線タグと、無線タグに有線インタフェースを介して接続し、無線タグから基準時刻情報を読み出して自己の時刻情報を修正する機器制御部とを備え、無線タグにより時計同期装置から受信した基準時刻情報を記憶した場合に時計同期フラグを設定し、機器制御部は、無線タグにアクセスして時計同期フラグを検出した場合に、無線タグに記憶している基準時刻情報を読み出して自己の時刻情報を修正するようにしたため、防災機器、例えば火災感知器の定期点検等の際に、時計同期装置を使用して火災感知器の無線タグに基準時刻情報を書き込むだけ、天井面から火災感知器を取り外すことなく、火災感知器の時刻情報を正しい時刻情報に修正する時刻同期を簡単且つ容易に行うことができる。
【００２０】
（時刻情報受信部による時計同期システムの効果）
また、時計同期装置は、基準時刻情報を生成する基準時計部と、操作部による時計同期操作の受付けを検出した場合に基準時計部で生成した基準時刻情報を含む電文を無線送信する時計同期制御部とを備え、防災機器は、基準時刻情報を含む無線電文を受信する時刻情報受信部と、時刻情報受信部で前記基準時刻情報を受信した場合に、受信した基準時刻情報に基づき自己の時刻情報を修正する前記機器制御部とを備えるようにしたため、時計同期装置を防災機器、例えば火災感知器に近づけて時計同期のための操作することで、天井面から火災感知器を取り外すことなく、火災感知器の時刻情報を正しい時刻情報に修正する時刻同期を簡単且つ容易に行うことができる。
【００２１】
（有線伝送部による時計同期システムの効果）
また、時計同期装置を、防災機器を監視制御する防災制御盤内（受信機内）に設け、時計同期装置は、基準時刻情報を生成する基準時計部と、操作部による時計同期操作の受付けを検出した場合に基準時計部で生成した基準時刻情報を含む電文を防災機器と接続される有線に送信する時計同期制御部とを備え、防災機器は、防災制御盤との間で制御可能な電文の送受信を行う伝送部と、伝送部で基準時刻情報を受信した場合に、受信した基準時刻情報に基づき自己の時刻情報を修正する前記機器制御部とを備えるようにしたため、防災制御盤で時計同期のための操作することで、火災感知器に出向いて取り外すことなく、遠隔的に火災感知器の時刻情報を正しい時刻情報に修正する時刻同期を簡単且つ容易に行うことができる。
【００２２】
（電波時計機能による効果）
また、時計同期装置の基準時計部は、標準電波の送信局から送信される時刻情報を受信して基準時刻情報を生成するようにしたため、所謂電波時計としての機能を利用して常に正しい時刻情報を生成して火災感知器等の防災機器の時刻情報の修正を可能とする。
【００２３】
（時計同期装置による防災機器時刻情報の確認の効果）
また、時計同期装置の時計同期制御部は、操作部による時刻確認操作の受付けを検出した場合に防災機器の無線タグに時刻情報の読出要求を含む電文を送信し、無線タグから時刻情報の読出応答電文を受信して表示部に防災機器の時刻情報を表示させ、防災機器の無線タグは、時計同期装置から時刻情報の読出要求を含む電文を受信した場合、自己の時刻情報を含む読出応答電文を生成して送信するようにしたため、時計同期装置の操作により、防災機器における現在の時刻情報を遠隔的な確認操作で簡単に分かり、時刻情報のずれ具合や時計同期を行った後の時刻情報の確認等が適切にできる。
【００２４】
（防災機器による効果）
本発明は、時刻情報を利用して所定の処理を行う防災機器に於いて、外部の時計同期装置の受信電波から電源を生成して動作し、受信電波から復調した電文に含まれる基準時刻情報を記憶する無線タグと、無線タグに有線インタフェースを介して接続し、無線タグから基準時刻情報を読み出して自己の時刻情報を修正する機器制御部とを設けるようにしたため、前述した時計同期システムにおける防災機器による効果と同じ効果が得られる。
【図面の簡単な説明】
【００２５】
【図１】本発明の時計同期システムを適用する火災報知システムの概要を示した説明図
【図２】図１のＰ型火災感知器の機能構成を示したブロック図
【図３】Ｐ型火災感知器に設けた時計回路部を示したブロック図
【図４】時計同期装置の機能構成を示したブロック図
【図５】本発明の時計同期システムの防災機器となるＲ型火災感知器の機能構成を示したブロック図
【図６】本発明の時計同期システムの防災機器となる住警器の機能構成を示したブロック図
【図７】本発明の時計同期システムをＲ型火災報知システムに適用した他の実施形態を示したブロック図
【発明を実施するための形態】
【００２６】
［時計同期システムの概要］
図１は本発明の時計同期システムが適用される防災システムの概要を示した説明図である。図１において、監視対象となる建物の１Ｆ〜３Ｆの各階には防災機器としてＰ型火災感知器１０を天井面に設けた感知器ベースに取り付けて配置し、１Ｆの管理人室等に設置したＰ型火災受信機１から階別に引き出した感知器回線２に接続している。
【００２７】
Ｐ型火災感知器１０は例えば昼間と夜の時間帯に分けて感度を変更する機能を備え、そのため１日２４時間の時刻情報を繰り返し生成する時計機能を備えている。
【００２８】
本実施形態の時計同期システムは、Ｐ型火災感知器１０と点検時に係員が携帯する時計同期装置６０で構成し、Ｐ型火災感知器１０には時計同期制御に使用する無線タグ３０を内蔵している。無線タグ３０は例えばパッシブタグ（受動タグ）であり、係員が携帯している時計同期装置６０からの受信電波を整流して電源を生成して動作する。
【００２９】
時計同期装置６０は時計同期操作を行うと、基準時刻情報を含む電文をＰ型火災感知器１０に設けた無線タグ３０に送信して記憶する。
【００３０】
Ｐ型火災感知器１０に実装しているＣＰＵ、メモリ及び各種の入出力ポートを備えた感知器制御部（プロセッサ）と無線タグ３０は有線インタフェースにより接続しており、感知器制御部が無線タグ３０にアクセスしてメモリに記憶した基準時計情報を読出し、Ｐ型火災感知器１０の時計機能により生成している時刻情報を修正して時刻同期する。
【００３１】
ここで、無線タグ３０及び時計同期装置６０による通信は、例えば９００ＭＨｚのＵＨＦ帯のチャンネル周波数を使用している。
【００３２】
［Ｐ型火災感知器］
図２は本発明の時計同期システムの防災機器となるＰ型火災感知器の機能構成を示したブロック図である。
（火災感知器の機能構成）
図２に示すように、防災機器として機能するＰ型火災感知器１０は、天井面に設置した感知器ベース１１に対し嵌合端子により着脱自在に装着され、感知器ベース１１を介してＰ型火災受信機からの感知器回線２となるＬ線とＣ線間に接続している。
【００３３】
Ｐ型火災感知器１０は、機器制御部として機能する感知器制御部１２、センサ部１４、時計回路部１６、発報回路部１８、無極性化回路部２０、定電圧回路部２２、Ｉ／Ｆ回路部（インタフェース回路部）２４及び無線タグ３０を備える。
【００３４】
感知器制御部１２はＣＰＵ、メモリ、各種の入出力ポート等を備えたコンピュータＩＣ等とする。センサ部１４は火災による煙または温度を検出してアナログ検出信号を出力する。センサ部１４で煙を検出する場合は散乱光式検煙機構を設け、温度を検出する場合はサーミスタなどの温度検知素子を設ける。
【００３５】
発報回路部１８はスイッチング素子を備え、感知器制御部１２で火災を判断した場合の火災検出信号によりスイッチングしてＰ型火災受信機からの感知器回線２に発報電流を流すことで、火災発報信号をＰ型火災受信機に送信し、回線単位の地区表示を伴う火災警報を出力させる。
【００３６】
無極性化回路部２０はダイオードブリッジを備え、感知器回線２のＬ線とＣ線に対し感知器側の接続極性を無極性化すると共にノイズ吸収を行う。定電圧回路部２２はＰ型受信機から供給されている所定の直流電圧を感知器制御部１２側で必要な所定の直流電圧に安定化して出力する。
【００３７】
時計回路部１６はクロックパルスの計数動作に基づき例えば時分秒（ＨＨＭＭＳＳ）の時刻情報を生成して感知器制御部１２に出力する。
【００３８】
感知器制御部１２は、プログラムの実行により実現される機能であり、センサ部１４からの検知信号をＡＤ変換により検知データとして読み込んで所定感度に基づく閾値と比較し、閾値以上となった場合に火災を判断して火災検出信号を発報回路部１８に出力する制御を行う。
【００３９】
また、感知器制御部１２は例えば１日２４時間における昼間の時間帯と夜の時間帯とに分けて、昼間の感度に対し夜の感度を高くするように異なる２つの閾値を設定しており、時計回路部１６で生成した時刻情報から所定の昼間の時間帯と夜の時間帯を判別して閾値を切り替えて火災を判断する制御を行う。
【００４０】
（無線タグの構成）
Ｐ型火災感知器１０に設けた無線タグ３０は、タグ制御部３２、アンテナ３６を接続したタグ通信部３４、アンテナ３６を接続した整流部４２、メモリ３８及びＩ／Ｆ回路部（インターフェース回路部）４０を備える。
【００４１】
タグ制御部３２はＣＰＵ、各種の入出力ポート等を備えたコンピュータＩＣ等とする。タグ通信部３４は、例えば９００ＭＨｚ帯の特定小電力無線局の標準規格に準拠して電文を送受信する。メモリ３８は不揮発メモリを使用する。アンテナ３６は感知器回路を実装した回路基板自体をアンテナとしている。
【００４２】
整流部４２は、アンテナ３６で受信した外部の時計同期装置からの電波による受信信号を整流してタグ制御部３２、タグ通信部３４及びメモリ３８に電源を供給して動作させる。
【００４３】
タグ制御部３２は、外部の時計同期装置から時計同期操作に基づく電文を受信した場合、この電文に含まれている基準時刻情報をメモリ３８の所定アドレスに書き込む制御を行う。
【００４４】
また、タグ制御部３２は、メモリ３８に受信電文に基づく基準時刻情報を書き込んだ場合、所定のアドレスに時刻同期フラグを書き込んで設定する制御を行う。
【００４５】
また、タグ制御部３２は、外部の時計同期装置の時刻確認操作に基づく時刻情報読出要求を含む電文を受信した場合、そのとき感知器制御部１２によりメモリ３８に記憶している感知器側の時刻情報を読出して読出応答電文を生成し、タグ通信部３４に指示して送信させる制御を行う。
【００４６】
（有線インタフェース）
無線タグ３０と感知器制御部１２との間で情報を双方向に伝送する有線インタフェースは、感知器制御部１２側に設けたＩ／Ｆ回路部２４、無線タグ３０に設けたＩ／Ｆ回路部４０、感知器制御部１２にインストールしたインタフェース制御用のソフトウェアで構成する。Ｉ／Ｆ回路部２４，４０は定電圧回路部２２からの電源供給を常時受けて動作している。
【００４７】
このための有線インタフェースは、例えばＩ２Ｃ（アイ・スクエアー・シー）として知られたフィリップス社で開発されたシリアルバス・インタフェースが使用できる。
【００４８】
Ｉ２Ｃによる有線インタフェースは、シリアルデータ用とクロック用の２本の信号線でＩ／Ｆ回路２４，４０の間を接続しており、２本の信号線は電源ラインに対し抵抗を介してプルアップしている。Ｉ／Ｆ回路部２４，４０には、データ用とクロック用に分けて送信用のドライバと受信用のレシーバを設けている。インタフェース制御用のソフトウェアをインストールした感知器制御部１２がマスタとなり、Ｉ／Ｆ回路部２４，４０を介して無線タグ３０のメモリ３８にアクセスして情報の読み書きを行う。
【００４９】
なお、無線タグ３０と感知器制御部１２との間で情報を双方向に伝送する有線インタフェースとしては、Ｉ２Ｃ以外に、適宜のシリアル伝送を行う適宜の有線インタフェースを使用しても良い。
【００５０】
（感知器制御部の時間同期制御）
感知器制御部１２は、無線タグ３０のメモリ３８に対するアクセスで時計同期フラグを検出した場合、そのときメモリ３８に書き込まれている基準時刻情報を読出し、時計回路部１６の時刻情報を基準時刻情報に修正して時計同期をとる制御を行う。
【００５１】
また、感知器制御部１２は、無線タグ３０のメモリ３８にアクセスして時刻情報の読出要求を検出した場合、そのとき時計回路部１６が生成している時刻情報を無線タグ３０のメモリ３８側に書き込む制御を行う。この感知器制御部１２による自己の時刻情報の無線タグ３０側に対する書込みは、無線タグ３０側の読出要求によらず、所定の周期で感知器制御部１２が無線タグ３０側に時計回路部１６が生成している時刻情報を書き込む制御としても良い。
【００５２】
なお、無線タグ３０のメモリ３８は、整流部４２からの電源供給がない場合は、有線インタフェースを経由して定電圧回路部２２側からの電源供給を受けて動作する。
【００５３】
（時計回路部の構成）
図３は図２のＰ型火災感知器１０に設けた時計回路部の実施形態を示したブロック図である。図３に示すように、時計回路部１６は、秒カウンタ４４、分カウンタ４６、時カウンタ４８、時刻バッファ５０、及び同期バッファ５２を備える。
【００５４】
秒カウンタ４４は３２．７６８ｋＨｚの周波数から生成した１秒周期の秒パルスを入力してカウントし、６０カウントでフルカウントに達してオーバーフロー出力によりリセットし、これを繰り返し、このため１〜６０秒で変化する秒情報を時刻バッファ５０に書き込む。
【００５５】
分カウンタ４６は秒カウンタ４４から１分周期の分パルスを入力してカウントし、６０カウントでフルカウントに達してオーバーフロー出力によりリセットし、これを繰り返し、このため１〜６０分で変化する分情報を時刻バッファ５０に書き込む。
【００５６】
時カウンタ４８には分カウンタ４６から１時間周期の時パルスを入力してカウントし、２４カウントでフルカウントに達してオーバーフロー出力によりリセットし、これを繰り返し、このため１〜２４時間で変化する時情報を時刻バッファ５０に書き込む。これにより時刻バッファ５０は時分秒となる時刻情報ＨＨＭＭＳＳを１秒単位で更新しながら生成する。
【００５７】
同期バッファ５２には無線タグ３０から読出した基準時刻情報が書き込まれ、秒カウンタ４４、分カウンタ４６及び時カウンタ４８にプリセットを指示することで、基準時刻情報の秒情報、分情報及び時情報がロードされ、時刻情報を基準時刻情報に修正する時間同期を行う。
【００５８】
なお、本実施形態における時刻情報の発生および基準時刻情報により修正する時間同期の制御は、感知器制御部１２のプログラムの実行で実現するソフトウェア時計機能で実現しても良い。
【００５９】
［時計同期装置］
（時計同期装置の機能構成）
図４は時計同期装置の実施形態を示した説明図であり、図４（Ａ）に機能構成を示し、図４（Ｂ）に装置外観を示す。
【００６０】
図４（Ａ）に示すように、火災感知器の時間同期を遠隔的に制御する時計同期装置６０は、時計同期制御部６２、アンテナ６６を接続したタグ通信部６４、アンテナ７０を接続した時刻情報受信部６８、時刻表示部７２、操作部７４及び電池電源７６を備える。
【００６１】
時計同期制御部６２はＣＰＵ、メモリ、各種の入出力ポート等を備えたコンピュータ回路等とする。タグ通信部６４は、例えば９００ＭＨｚ帯の特定小電力無線局の標準規格に準拠して電文を間欠的に送受信する。
【００６２】
時刻情報受信部６８は、基準時計部として機能し、例えば標準電波の送信局から送信される時刻情報のデジタル信号を受信し、基準時刻情報として時計同期制御部６２に出力し、所謂電波時計として機能する。
【００６３】
時刻表示部７２は、図４（Ｂ）に示すように、液晶表示器を使用し、時刻情報「ＨＨ：ＭＭ：ＳＳ」として例えば「１３：２４：３０」を表示している。
【００６４】
操作部７４は、図４（Ｂ）に示すように、時間同期制御を指示する時計同期スイッチ７４ａ、時刻情報の読出しを指示する時刻確認スイッチ７４ｂ、電源スイッチ７４ｃを備えている。
【００６５】
時計同期制御部６２は、コンピュータ回路によりプログラムの実行により実現される機能であり、次の制御を行う。
【００６６】
時計同期制御部６２は、時計同期スイッチ７４ａによる時計同期操作の受付けを検出した場合に、時刻情報受信部６８で得られた基準時刻情報を含む電文を生成し、タグ通信部６４に指示して送信させる制御を行う。
【００６７】
また、時計同期制御部６２は、時刻確認スイッチ７４ｂによる時刻確認操作の受付けを検出した場合に時刻読出要求を含む電文を生成し、タグ通信部６４に指示して送信させる制御を行う。この時刻読出要求を含む電文は火災感知器１０の無線タグ３０で受信され、そのときメモリ３８に記憶している時刻情報を読出して時計同期装置６０に読出応答電文を送信する。
【００６８】
また、時計同期制御部６２は、時刻確認スイッチ７４ｂの操作に伴いＰ型火災感知器１０の無線タグ３０が送信した読出応答電文を受信した場合、この電文から時刻情報を検出して時刻表示部７２に表示する制御を行う。これによりＰ型火災感知器１０の現在の時刻情報を簡単且つ容易に知ることを可能とする。
【００６９】
（時計同期の制御動作）
次に図１〜図４を参照して時計同期装置の遠隔操作による火災感知器の時計同期の制御動作を説明ずる。
【００７０】
定期的に行われる火災報知システムの点検おいて、係員は時計同期装置６０を携帯し、点検対象とするＰ型火災感知器１０と通信接続可能な例えば１〜２メートル程度の距離に近づき、この状態で例えば時計同期装置６０の時刻確認スイッチ７４ｂを操作し、Ｐ型火災感知器１０の無線タグ３０に時刻読出要求を含む電文を送信する。
【００７１】
Ｐ型火災感知器１０の無線タグ３０は、時計同期装置６０からの電波をタグ通信部３４で受信復調して電文をタグ制御部３２に出力する。このとき時計同期装置６０からの電波の受信信号は整流部４２にも入力され、その整流出力により無線タグ３０の各回路部に電源を供給して動作状態としている。
【００７２】
タグ制御部３２はタグ通信部３４で受信した電文に含まれる時刻情報読出要求に基づきメモリ３８にアクセスし、そのとき感知器制御部１２によりメモリ３８に書き込まれている時刻情報を読出し、この時刻情報を含む確認応答電文を生成し、タグ通信部３４に指示して時計同期装置６０に送信する。
【００７３】
時計同期装置６０はタグ通信部６４によりＰ型火災感知器１０の無線タグ３０から送信した確認応答電文を受信復調して時計同期制御部６２に出力し、時計同期制御部６２は受信した時刻情報を取り出して時刻表示部７２に表示する。
【００７４】
このように時間同期装置６０でＰ型火災感知器１０の時刻情報の確認を行った場合、時計表示部７２の表示は、時刻情報受信部６８から得られた基準時刻の表示からＰ型火災感知器１０から読み出した時刻情報の表示に切り替わり、Ｐ型火災感知器１０の時刻がどの程度ずれているかを確認できる。
【００７５】
なお、時計表示部７２の表示として、基準時刻情報と感知器側の時刻情報の両方を表示して比較可能としても良い。また、Ｐ型火災感知器の時刻情報の確認は任意であり、必ずしも確認する必要はない。
【００７６】
Ｐ型火災感知器１０の時刻同期は、時計同期装置６０の時計同期スイッチ７４ａを操作して行う。係員はＰ型火災感知器１０と通信接続可能な例えば１〜２メートル程度の距離に近づいた状態で、時計同期装置６０の時計同期スイッチ７４ａを操作すると、時計同期制御部６２がそのとき時刻情報受信部６８から得られている基準時刻情報を含む電文を生成し、タグ通信部６４に指示してＰ型火災感知器１０の無線タグ３０に電文を送信する。
【００７７】
Ｐ型火災感知器１０の無線タグ３０は、時計同期装置６０からの電波をタグ通信部３４で受信復調して電文をタグ制御部３２に出力し、タグ制御部３２は受信電文に含まれる基準時刻情報をメモリ３８の所定アドレスに書込むと共に、所定アドレスに時計同期フラグを書き込んで設定する。
【００７８】
感知器制御部１２はＩ／Ｆ回路部２４，４０による有線インタフェースを介して定期的にメモリ３８の時計同期フラグの書込みアドレスにアクセスして時計同期フラグの有無を判別しており、時計同期フラグを判別するとメモリ３８に書き込まれている基準時刻情報を読出し、時計回路部１６の時刻情報を基準時刻情報により修正して時間同期させる。これによりＰ型火災感知器１０を天井側から取り外すことなく、時計同期装置６０の遠隔操作により簡単且つ容易に正しい時刻に同期させることができる。
【００７９】
［Ｒ型火災感知器］
図５は本発明の時計同期システムの防災機器となるＲ型火災感知器の機能構成を示したブロック図である。
【００８０】
図５に示すように、防災機器として機能するＲ型火災感知器８０は、天井面に設置した感知器ベース１１に対し嵌合端子により着脱自在に装着され、感知器ベース１１を介してＲ型火災受信機からの伝送回線ＳＬ，ＳＣ間に接続している。またＲ型火災感知器８０には伝送回線単位に最大１２８アドレス又は２５６アドレスの範囲で所定のアドレスを設定している。
【００８１】
Ｒ型火災感知器８０は、機器制御部として機能する感知器制御部８２、センサ部８４、時計回路部８６、伝送部８８、無極性化回路部９０、定電圧回路部９２、Ｉ／Ｆ回路部（インタフェース回路部）２４及び無線タグ３０を備える。
【００８２】
ここで、センサ部８４、時計回路部８６、無極性化回路部９０、定電圧回路部９２、Ｉ／Ｆ回路部２４及び無線タグ３０は、図１のＰ型火災感知器１０に示したセンサ部１４、時計回路部１６、無極性化回路部２０、定電圧回路部２２、Ｉ／Ｆ回路部２４及び無線タグ３０と同じになる。
【００８３】
感知器制御部８２はＣＰＵ、メモリ、各種の入出力ポート等を備えたコンピュータＩＣ等とする。伝送部８８は、伝送回線ＳＬ，ＳＣを介してＲ型火災受信機との間でコマンド及びデータを含む電文をシリアル伝送により送受信する。
【００８４】
感知器制御部８２は、プログラムの実行により実現される機能であり、Ｒ型火災受信機から例えば１分周期で送信される一括Ａ／Ｄ変換コマンドを伝送部８８で受信してセンサ部８４からの例えば煙濃度検出信号をＡ／Ｄ変換して保持し、続いてＲ型火災受信機から順次送信されてくる最大アドレス分のポーリングコマンドの内の自己アドレスに一致するポーリングコマンドを判別して煙濃度データをＲ型火災受信機に応答送信する制御を行う。
【００８５】
また、感知器制御部８２は、センサ部８４からＡ／Ｄ変換で読み込んだ煙濃度データが所定の閾値以上となった場合に火災を判断し、Ｒ型火災受信機に火災割込み信号を伝送部８８から送信する制御を行う。
【００８６】
Ｒ型火災感知器８０からの火災割込み信号を検出したＲ型火災受信機は、火災割込みを行ったＲ型火災感知器を特定するためグルーブ検索コマンドを送信し、火災割込みを行ったＲ型火災感知器を含むグループを特定し、更に、グループ内検索コマンドにより火災割込みを行ったＲ型火災感知器を特定して集中的に火災検出データを収集する制御を行う。
【００８７】
また、感知器制御部８２は例えば１日２４時間における昼間の時間帯と夜の時間帯とに分けて昼間の感度に対し夜の感度を高くするように異なる２つの閾値を設定しており、時計回路部８０で生成した時刻情報から所定の昼間の時間帯と夜の時間帯を判別して閾値を切り替えて火災を判断して火災割込み信号を伝送部８８から送信する制御を行う。
【００８８】
このようなＲ型火災感知器８０についても、例えば定期的に行われるＲ型火災災感知器８０の定期点検等の際に、図３に示した時計同期装置６０をＲ型火災感知器８０に近づけて時計同期のための操作することで、前述したＰ型火災感知器１０の場合と同様に、天井面からＲ型火災感知器８０を取り外すことなく、Ｒ型火災感知器８０の時刻情報を正しい時刻情報に修正する時刻同期を簡単且つ容易に行うことができ、例えば昼と夜の時間帯で感度を変更して行う火災判断を長期間に亘って安定且つ確実に動作可能とする。
【００８９】
［住警器］
図６は本発明の時計同期システムの防災機器となる無線連動型の住警器の機能構成を示したブロック図である。
【００９０】
図６に示すように、住宅用の防災機器として機能する住警器１００は、例えば天井面に近い壁面等に設置されており、複数の住警器を住宅内の必要な場所に設置することで、無線連動型の警報システムを構築している。また住警器１００には連動関係を特定するグループアドレスを予め設定している。
【００９１】
住警器１００には、機器制御部として機能する感知器制御部１０２、センサ部１０４、時計回路部１０６、アンテナ１０７を接続した通信部１０８、操作部１１０、報知部１１２、電池電源１１４、Ｉ／Ｆ回路部（インタフェース回路部）２４及びアンテナ３６を接続した無線タグ３０を備える。
【００９２】
ここで、センサ部１０４、時計回路部１０６、Ｉ／Ｆ回路部２４及び無線タグ３０は、図１のＰ型火災感知器１０に示したセンサ部１４、時計回路部１６、Ｉ／Ｆ回路部２４及び無線タグ３０と同じになる。
【００９３】
感知器制御部１０２はＣＰＵ、メモリ、各種の入出力ポート等を備えたコンピュータＩＣ等とする。
【００９４】
通信部１０８は、他の住警器との間で火災、警報停止、火災復旧等の各種の連動信号を送受信する。また、通信部１０８による無線通信は、日本国内の場合には例えば４００ＭＨｚ帯の特定小電力無線局の標準規格に従った無線通信を行っており、無線タグ３０による９００ＭＨｚのＵＨＦ帯のチャンネル周波数との混信は起きない。
【００９５】
操作部１１０は警報停止スイッチを備える。警報停止スイッチは通常状態では点検スイッチとして機能する。報知部１１２はスピーカとＬＥＤを備え、スピーカから音声メッセージを含む火災警報音を出力すると共にＬＥＤの駆動により火災警報表示を行う。
【００９６】
報知部１１２は、自己で火災を検知した場合の連動元を示す火災警報と、他の住警器からの火災連動信号を受信した場合の連動先を示す火災警報とを分けて出力する。
【００９７】
感知器制御部１０２は、プログラムの実行により実現される機能であり、センサ部１０４からＡ／Ｄ変換で読み込んだ例えば煙濃度データが所定の閾値以上となった場合に火災を判断し、報知部１１２に指示して連動元を示す火災警報を出力すると共に、通信部１０８に指示して火災連動信号を送信する制御を行う。
【００９８】
また、感知器制御部１０２は、通信部１０８を介して他の住警器からの火災連動信号を受信した場合、報知部１１２に指示して連動先を示す火災警報を出力させる制御を行う。
【００９９】
また、感知器制御部１０２は警報出力中に、操作部１１０による警報停止操作の受付けを検出した場合又はセンサ部１０４による火災復旧を検出した場合、報知部１１２に指示して警報停止すると共に通信部１０８に指示して警報停止連動信号又は火災復旧連動信号を送信する制御を行う。
【０１００】
また、感知器制御部１０２は、通信部１０８を介して他の住警器からの警報停止連動信号又は火災復旧連動信号を受信した場合、報知部１１２に指示して火災警報を停止させる制御を行う。
【０１０１】
また、感知器制御部１０２は例えば１日２４時間における昼間の時間帯と夜の時間帯とに分けて昼間の感度に対し夜の感度を高くするように異なる２つの閾値を設定しており、時計回路部１０６で生成した時刻情報から所定の昼間の時間帯と夜の時間帯を判別して閾値を切り替えて火災を判断して警報する制御を行う。
【０１０２】
このような住警器１００についても、必要に応じて、図３に示した時計同期装置６０を住警器１００に近づけて時計同期のための操作することで、前述したＰ型火災感知器１０の場合と同様に、壁面から住警器１００を取り外すことなく、住警器１００の時刻情報を正しい時刻情報に修正する時刻同期を簡単且つ容易に行うことができ、例えば昼と夜の時間帯で感度を変更して行う火災判断を長期間に亘って安定且つ確実に動作可能とする。
【０１０３】
［有線伝送部による時計同期システム］
図７は本発明の時計同期システムをＲ型火災報知システムに適用した他の実施形態を示したブロック図である。
【０１０４】
（Ｒ型火災感知器）
図７に示すように、Ｒ型火災感知器１２０は、図５のＲ型感知器８０に設けている無線タグ３０及びＩ／Ｆ回路部２４を除いと同じ構成であり、機器制御部として機能する感知器制御部８２、センサ部８４、時計回路部８６、伝送部８８、無極性化回路部９０及び定電圧回路部９２を備える。
【０１０５】
ここで、センサ部８４、時計回路部８６、無極性化回路部９０、定電圧回路部９２は、図２のＰ型火災感知器１０に示したセンサ部１４、時計回路部１６、無極性化回路部２０、定電圧回路部２２と同じになる。
【０１０６】
感知器制御部８２はＣＰＵ、メモリ、各種の入出力ポート等を備えたコンピュータＩＣ等とする。伝送部８８は、伝送回線ＳＬ，ＳＣを介してＲ型火災受信機との間でコマンド及びデータを含む電文をシリアル伝送により送受信する。
【０１０７】
感知器制御部８２は、Ｒ型火災受信機１３０から一括Ａ／Ｄ変換コマンドを伝送部８８を介して受信した場合、センサ部８４からの例えば煙濃度検出信号をＡ／Ｄ変換して保持し、続いてＲ型火災受信機１３０から順次送信されてくる自己アドレスに一致するポーリングコマンドを判別して煙濃度データをＲ型火災受信機１３０に応答送信する制御を行う。
【０１０８】
また、感知器制御部８２は、センサ部８４からＡ／Ｄ変換で読み込んだ煙濃度データが所定の閾値以上となった場合に火災を判断して発報し、Ｒ型火災受信機に火災割込み信号を伝送部８８から送信する制御を行う。
【０１０９】
また、感知器制御部８２は例えば１日２４時間における昼間の時間帯と夜の時間帯とに分けて昼間の感度に対し夜の感度を高くするように異なる２つの閾値を設定しており、時計回路部８６で生成した時刻情報から所定の昼間の時間帯と夜の時間帯を判別して閾値を切り替えて火災を判断して火災割込み信号を伝送部８８から送信する制御を行う。
【０１１０】
また、感知器制御部８２は、伝送部８８を介して基準時刻情報を含む時刻同期制御電文を受信した場合、受信した基準時刻情報により時計回路部８６の時刻情報を基準時刻情報に修正して時計同期をとる制御を行う。
【０１１１】
また、感知器制御部８２は、伝送部８８を介して時刻読出要求電文を受信した場合、時計回路部８６の時刻情報を含む読出応答電文を生成して伝送部８８に指示して送信する制御を行う。
【０１１２】
（Ｒ型受信機）
Ｒ型受信機１３０は防災制御盤として機能し、Ｒ型受信機１３０から引き出した伝送回線ＳＬ，ＳＣに固有のアドレスを設定したＲ型火災感知器１２０を接続している。
【０１１３】
Ｒ型受信機１３０は、受信制御部１３２、伝送部１３４、アンテナ１３８を接続した時刻情報受信部１３６、表示部１４０、操作部１４２、警報部１４４及び移報部１４６を備える。
【０１１４】
受信制御部１３２は、ＣＰＵ、メモリ、各種の入出力ポート等を備えたコンピュータＩＣ回路であり、ＣＰＵによるプログラムの実行により火災受信制御を行うと共に、時計同期制御部１５０としての機能を実現している。
【０１１５】
時刻情報受信部１３６は、基準時計部として機能し、例えば標準電波の送信局から送信される時刻情報のデジタル信号を受信し、基準時刻情報として時計同期制御部１５０に出力し、所謂電波時計として機能する。
【０１１６】
表示部１４０は火災受信制御に必要な各種の表示灯に加え、液晶ディスプレイ等による時刻表示部を備え、時刻情報「ＨＨ：ＭＭ：ＳＳ」として例えば「１３：２４：３０」を表示可能としている。
【０１１７】
操作部１４２は火災受信制御に必要な各種のスイッチに加え、時間同期制御を指示する時計同期スイッチ、時刻情報の読出しを指示する時刻確認スイッチを設けている。
【０１１８】
受信制御部１３２は、例えば１分周期で一括Ａ／Ｄ変換コマンドを伝送部１３４に指示して送信し、Ｒ型火災感知器１２０に例えば煙濃度検出信号をＡ／Ｄ変換して保持させ、続いて感知器アドレスを順次指定したポーリングコマンドを送信して煙濃度データを含む応答電文を受信する制御を行う。
【０１１９】
また、受信制御部１３２は、Ｒ型火災感知器１２０の火災発報による災割込み信号を伝送部８８から受信した場合、グルーブ検索コマンドを送信して火災割込みを行ったＲ型火災感知器を含むグループを特定し、更に、グループ内検索コマンドを送信して火災割込みを行ったＲ型火災感知器を特定して集中的に火災検出データを収集する制御を行う。
【０１２０】
時計同期制御部１５０は、操作部１４２に設けた時計同期スイッチによる時計同期操作の受付けを検出した場合に、時刻情報受信部１３６で得られた基準時刻情報を含む時刻同期制御電文を生成し、伝送部１３４に指示して送信させる制御を行う。
【０１２１】
また、時計同期制御部１５０は、操作部１４２に設けた時刻確認スイッチによる特定の感知器アドレスを指定した時刻確認操作の受付けを検出した場合に時刻読出要求を含む電文を生成し、伝送部１３４に指示して送信させ、Ｒ型火災感知器１２０から読出応答電文を受信した場合に、表示部１４０に時刻情報を表示する制御を行う。これによりＲ型火災感知器１２０の現在の時刻情報を簡単且つ容易に知ることを可能とする。
【０１２２】
（Ｒ型火災報知システムの時計同期の制御動作）
このようなＲ型火災報知システムについても、例えば定期点検等の際に、Ｒ型受信機１３０で時計同期のための操作することで、伝送回線を介してＲ型火災感知器１２０に基準時刻情報を含む時刻同期制御電文を送信し、Ｒ型火災感知器１２０の時刻情報を正しい時刻情報に修正する時刻同期を簡単且つ容易に行うことができ、例えば昼と夜の時間帯で感度を変更して行う火災判断を長期間に亘って安定且つ確実に動作可能とする。
【０１２３】
また、伝送回線に接続している最大アドレス数（例えば２５６アドレス）以内となる複数のＲ型火災感知器１２０の時刻同期は、１回の時刻同期制御電文の送信により一斉に時刻同期を行うことから短時間で済み、火災監視制御に影響を及ぼすことがなく、このためＲ型受信機１３０から例えば１日１回というように、定期的に時刻同期制御電文を送信して自動的に時刻同期を制御するようにしても良い。
【０１２４】
［本発明の他の実施形態］
上記の実施形態は、Ｐ型火災感知器、Ｒ型火災感知器、住警器の各々に無線タグを設けて時計同期装置から送信した標準時刻情報を受信しているが、無線タグに代えて、Ｐ型火災感知器、Ｒ型火災感知器、住警器の各々に時刻情報受信部を設けて時計同期装置からの基準時刻情報を受信し、感知器制御部で時刻情報受信部により受信した基準時刻情報により自己の時刻情報を修正するようにしても良い。
【０１２５】
また、この場合の時計同期装置として標準電波の送信局を利用し、Ｐ型火災感知器、Ｒ型火災感知器、住警器の各々に標準電波の送信局から送信される時刻情報を受信する標準電波受信部を設け、標準電波受信部で受信した標準電波から基準時刻情報を生成して自己の時刻情報を修正するようにしても良い。
【０１２６】
［本発明の変形例］
（防災機器）
上記の実施形態は、時間同期を行う防災機器として、Ｐ型火災感知器、Ｒ型火災感知器、無線連動型の住警器を例にとっているが、これ以外に時刻情報を利用する防災機器として、無線式火災感知器やスタンドアロー型の住警器についても、同様にして時間同期を行うように構成する。また、火災を検知する防災機器のみならず、時間情報を利用するガス漏れ警報器等の他の防災機器についても同様にして時間同期を行うように構成しても良い。
【０１２７】
（無線タグ）
上記の実施形態は、受信電波信号を整流して得た電源で動作するパッシブタブ（受動タグ）の無線タグを例にとっているが、火災感知器の電源により動作するアクティブタグ（能動タグ）を使用しても良い。
【０１２８】
（設定装置）
上記の実施形態は、専用の時間同期装置を使用して火災感知器等の防災機器に設けた無線タグにアクセスして遠隔的に時間同期を制御する場合を例にとっているが、無線タグとの通信機能を備えたタブレット端末等の適宜の携帯端末機器を利用するようにしても良い。
【０１２９】
（防災機器の時間制御）
上記の実施形態は、昼間と夜の時間帯に分けて火災を検出する感度を変更する場合を例にとっているが、感度以外の適宜の制御パラメータを時刻情報に応じて変更する場合を含む。
【０１３０】
（その他）
また本発明はその目的と利点を損なうことのない適宜の変形を含み、更に上記の実施形態に示した数値による限定は受けない。
【符号の説明】
【０１３１】
１０：Ｐ型火災感知器
１２，８２，１０２：感知器制御部
１４，８４，１０４：センサ部
１６，８６，１０６：時計回路部
２０，９０：無極性化回路部
２２，９２：定電圧回路部
２４，４０：Ｉ／Ｆ回路部
３０：無線タグ
３２：タグ制御部
３４，６４：タグ通信部
３８：メモリ
４４：秒カウンタ
４６：分カウンタ
４８：時カウンタ
５０：時刻バッファ
５２：同期バッファ
６０：時計同期装置
６２，１５０：時計同期制御部
６８，１３６：時刻情報受信部
７２：時刻表示部
７４，１１０，１１２：操作部
７４ａ：時計同期スイッチ
７４ｂ：時刻確認スイッチ
７４ｃ：電源スイッチ
８０，１２０：Ｒ型火災感知器
１００：住警器
１０８：通信部
１１２：報知部
１３０：Ｒ型受信機
【図１】
0006378042.tif 000002
【図２】
0006378042.tif 000003
【図３】
0006378042.tif 000004
【図４】
0006378042.tif 000005
【図５】
0006378042.tif 000006
【図６】
0006378042.tif 000007
【図７】
0006378042.tif 000008